【手続補正書】
【提出日】平成19年8月2日(2007.8.2)
【手続補正１】
【補正対象書類名】明細書
【補正対象項目名】特許請求の範囲
【補正方法】変更
【補正の内容】
【特許請求の範囲】
【請求項１】  ビデオ・フレームのシーケンスを表すソース符号化ビット・ストリームを形成するためのビデオ・ソース符号化方法であって、前記方法は、
第１のビデオ・フレームを表す第１のソース符号化ビット・ストリームの一部を形成するステップであって、前記第１のソース符号化ビット・ストリームの一部が、前記第１のビデオ・フレームの画像ヘッダ・データおよび前記第１のビデオ・フレームのソース符号化画像データを含むステップと、
第２のソース符号化ビット・ストリームの一部を形成するステップであって、前記第２のソース符号化ビット・ストリームの一部が、前記第１のビデオ・フレームの画像ヘッダ・データの少なくとも一部の反復を含むステップと、
前記第１のソース符号化ビット・ストリームの一部の後の前記ソース符号化ビット・ストリームにより前記第２のソース符号化ビット・ストリームの一部を供給するステップと、
を含む、ことを特徴とする方法。
【請求項２】  請求項１に記載の方法において、
前記第１のビデオ・フレームがＩＮＴＲＡフレーム・フォーマットで符号化される場合だけ、前記第１のビデオ・フレームの画像ヘッダ・データの少なくとも一部の反復を含む第２のソース符号化ビット・ストリームの一部を形成するステップを含む、
ことを特徴とする方法。
【請求項３】  請求項１に記載の方法において、
前記第２のソース符号化ビット・ストリームの一部を、ビデオ・フレームの不完全な一部を表し、前記第１のビデオ・フレームの画像ヘッダ・データの少なくとも一部の反復および前記第１のビデオ・フレームのソース符号化画像データの第１のセグメントを含むソース符号化ビット・ストリームの一部として形成するステップを含む、
ことを特徴とする方法。
【請求項４】  請求項１に記載の方法において、
前記第２のソース符号化ビット・ストリームの一部を、前記第１のビデオ・フレームの画像ヘッダ・データの少なくとも一部の反復および他のデータを含むソース符号化ビット・ストリームの一部として形成するステップであって、前記他のデータが、前記第２のソース符号化ビット・ストリームの一部が前記ビデオ信号の基準フレームに対して変化していないビデオ・フレームを表していることを示すステップを含む、
ことを特徴とする方法。
【請求項５】  請求項４に記載の方法において、
前記他のデータが、ソース符号化画像データが前記ビデオ信号の前のビデオ・フレームに対して変化していないことを示す１つまたは複数の表示を含む、
ことを特徴とする方法。
【請求項６】  請求項１に記載の方法において、
前記第２のソース符号化ビット・ストリームの一部を、ビデオ・フレームのシーケンス内の前記第１のビデオ・フレームの後のビデオ・フレームを表すソース符号化ビット・ストリームの一部として形成するステップを含み、前記第２のソース符号化ビット・ストリームの一部が、前記後のビデオ・フレームの画像ヘッダ・データおよび前記後のビデオ・フレームのソース符号化画像データを含み、前記後のビデオ・フレームの画像ヘッダ・データ内に前記第１のビデオ・フレームの画像ヘッダ・データの少なくとも一部の反復を含む、
ことを特徴とする方法。
【請求項７】  請求項６に記載の方法において、
前記後のビデオ・フレームの補足エンハンスメント情報（ＳＥＩ）内に前記第１のビデオ・フレームの画像ヘッダ・データの少なくとも一部の反復を含むステップを含む、
ことを特徴とする方法。
【請求項８】  請求項７に記載の方法において、
前記第１のビデオ・フレームの画像開始コードを除く、前記後のビデオ・フレームの補足エンハンスメント情報（ＳＥＩ）内に前記第１のビデオ・フレームの画像ヘッダ・データの少なくとも一部の反復を含むステップを含む、
ことを特徴とする方法。
【請求項９】  請求項６に記載の方法において、
前記後のビデオ・フレームの画像ヘッダ・データ内に前記第１のビデオ・フレームの画像ヘッダ・データのいくつかのフィールドを反復するステップを含む、
ことを特徴とする方法。
【請求項１０】  ビデオ・フレームのシーケンスを表すソース符号化ビット・ストリームを形成するためのビデオ・ソース符号化装置であって、前記ビデオ・ソース符号化装置が、
第１のビデオ・フレームを表す第１のソース符号化ビット・ストリームの一部を形成し、前記第１のソース符号化ビット・ストリームの一部が、前記第１のビデオ・フレームの画像ヘッダ・データおよび前記第１のビデオ・フレームのソース符号化画像データを含み、
第２のソース符号化ビット・ストリームの一部を形成し、前記第２のソース符号化ビット・ストリームの一部が、前記第１のフレームの画像ヘッダ・データの少なくとも一部の反復を含み、
前記第１のソース符号化ビット・ストリームの一部の後の前記ソース符号化ビット・ストリームにより前記第２のソース符号化ビット・ストリームの一部を供給する、
ように構成されている回路を備える、
ことを特徴とするビデオ・ソース符号化装置。
【請求項１１】  請求項１０に記載のビデオ・ソース符号化装置において、
前記回路が、前記第１のビデオ・フレームがＩＮＴＲＡフレーム・フォーマットで符号化される場合だけ、前記第１のビデオ・フレームの画像ヘッダ・データの少なくとも一部の反復を含む第２のソース符号化ビット・ストリームの一部を形成するように構成される、
ことを特徴とするビデオ・ソース符号化装置。
【請求項１２】  請求項１０に記載のビデオ・ソース符号化装置において、
前記回路が、前記第２のソース符号化ビット・ストリームの一部を、ビデオ・フレームの不完全な一部を表すソース符号化ビット・ストリームの一部として形成し、前記第１のビデオ・フレームの画像ヘッダ・データの少なくとも一部の反復および前記第１のビデオ・フレームのソース符号化画像データの第１のセグメントを含むように構成される、
ことを特徴とするビデオ・ソース符号化装置。
【請求項１３】  請求項１０に記載のビデオ・ソース符号化装置において、
前記回路が、前記第２のソース符号化ビット・ストリームの一部を、前記第１のビデオ・フレームの画像ヘッダ・データの少なくとも一部の反復および他のデータを含むソース符号化ビット・ストリームの一部として形成するように構成され、前記他のデータが、前記第２のソース符号化ビット・ストリームの一部が前記ビデオ信号の基準フレームに対して変化していないビデオ・フレームを表していることを意味する、
ことを特徴とするビデオ・ソース符号化装置。
【請求項１４】  請求項１３に記載のビデオ・ソース符号化装置において、
前記他のデータが、ソース符号化画像データが前記ビデオ信号の前のビデオ・フレームに対して変化していないことを示す１つまたは複数の表示を含む、
ことを特徴とするビデオ・ソース符号化装置。
【請求項１５】  請求項１０に記載のビデオ・ソース符号化装置において、
前記回路が、前記第２のソース符号化ビット・ストリームの一部を、ビデオ・フレームのシーケンス内の前記第１のビデオ・フレームの後のビデオ・フレームを表すソース符号化ビット・ストリームの一部として形成するように構成され、前記第２のソース符号化ビット・ストリームの一部は、前記後のビデオ・フレームの画像ヘッダ・データおよび前記後のビデオ・フレームのソース符号化画像データを含み、前記後のビデオ・フレームの画像ヘッダ・データ内の前記第１のビデオ・フレームの画像ヘッダ・データの少なくとも一部の反復を含む、
ことを特徴とするビデオ・ソース符号化装置。
【請求項１６】  請求項１５に記載のビデオ・ソース符号化装置において、
前記回路が、前記後のビデオ・フレームの補足エンハンスメント情報（ＳＥＩ）内の前記第１のビデオ・フレームの画像ヘッダ・データの少なくとも一部の反復を含むように構成される、
ことを特徴とするビデオ・ソース符号化装置。
【請求項１７】  請求項１６に記載のビデオ・ソース符号化装置において、
前記回路が、前記第１のビデオ・フレームの画像開始コードを除く、前記後のビデオ・フレームの補足エンハンスメント情報（ＳＥＩ）内の前記第１のビデオ・フレームの画像ヘッダ・データの少なくとも一部の反復を含むように構成される、
ことを特徴とするビデオ・ソース符号化装置。
【請求項１８】  請求項１５に記載のビデオ・ソース符号化装置において、
前記回路が、前記後のビデオ・フレームの画像ヘッダ・データ内の前記第１のビデオ・フレームの画像ヘッダ・データのいくつかのフィールドを反復するように構成される、
ことを特徴とするビデオ・ソース符号化装置。
【請求項１９】  ビデオ・フレームのシーケンスを表すソース符号化ビット・ストリームのビデオ・ソース復号化方法であって、前記方法は、
第１のビデオ・フレームを表す第１のソース符号化ビット・ストリームの一部を受信するステップであって、前記第１のソース符号化ビット・ストリームの一部が、前記第１のビデオ・フレームの画像ヘッダ・データおよび前記第１のビデオ・フレームのソース符号化画像データを含むステップと、
前記第１のソース符号化ビット・ストリームの一部内に含まれている前記第１のビデオ・フレームの画像ヘッダ・データが破損または喪失しているかどうかを判定するために、前記第１のソース符号化ビット・ストリームの一部をチェックするステップと、
前記第１のビデオ・フレームの画像ヘッダ・データが破損または喪失していると判定した場合に、第２のソース符号化ビット・ストリームの一部が、前記第１のビデオ・フレームの画像ヘッダ・データの少なくとも一部の反復を含んでいるかどうかを判定するために、前記第１のソース符号化ビット・ストリームの一部の後の前記ソース符号化ビット・ストリームにより供給した第２のソース符号化ビット・ストリームの一部をチェックするステップと、
前記第２のソース符号化ビット・ストリームの一部が前記第１のビデオ・フレームの画像ヘッダ・データの少なくとも一部の反復を含んでいると判定した場合に、前記第２のソース符号化ビット・ストリームの一部から前記第１のビデオ・フレームの前記反復された画像ヘッダ・データを入手し、前記第２のソース符号化ビット・ストリームの一部から入手した前記反復された画像ヘッダ・データにより、前記第１のビデオ・フレームの前記ソース符号化画像データを復号化するステップと、
を含む、ことを特徴とする方法。
【請求項２０】  請求項１９に記載の方法において、
前記第２のソース符号化ビット・ストリームの一部が全ビデオ・フレームまたはビデオ・フレームの不完全な一部を表しているかどうかを確認するステップと、前記第２のソース符号化ビット・ストリームの一部がビデオ・フレームの不完全な一部を表している場合に、前記第２のソース符号化ビット・ストリームの一部が、前記第１のビデオ・フレームの画像ヘッダ・データの少なくとも一部の反復を含んでいると判定するステップと、
を含む、ことを特徴とする方法。
【請求項２１】  請求項１９に記載の方法において、
前記第２のソース符号化ビット・ストリームの一部が、画像ヘッダ・データおよび他のデータを含んでいるかどうかを確認し、前記他のデータは、前記第２のソース符号化ビット・ストリームの一部が前記ビデオ信号の基準ビデオ・フレームに対して変化していないビデオ・フレームを表していることを意味し、含んでいる場合には、前記第２のソース符号化ビット・ストリームの一部が、前記第１のビデオ・フレームの画像ヘッダ・データの少なくとも一部の反復を含んでいると判定するステップを含む、
ことを特徴とする方法。
【請求項２２】  請求項１９に記載の方法において、
前記第２のソース符号化ビット・ストリームの一部が、前記ビデオ・フレームのシーケンス内の前記第１のビデオ・フレームの後のビデオ・フレームを表していて、前記後のビデオ・フレームの画像ヘッダ・データおよび前記後のビデオ・フレームのソース符号化画像データを含み、前記方法は、前記後のビデオ・フレームの画像ヘッダ・データをチェックして、前記第１のビデオ・フレームの画像ヘッダ・データの反復を含んでいるかどうかをチェックするステップを含む、
ことを特徴とする方法。
【請求項２３】  請求項２２に記載の方法において、
前記後のビデオ・フレームの補足エンハンスメント情報（ＳＥＩ）をチェックして、前記第１のビデオ・フレームの画像ヘッダ・データの少なくとも一部の反復を含んでいるかどうかをチェックするステップを含む、
ことを特徴とする方法。
【請求項２４】  請求項２３に記載の方法において、
前記以降のビデオ・フレームの補足エンハンスメント情報（ＳＥＩ）をチェックして、前記第１のビデオ・フレームの画像開始コードを除く、前記第１のビデオ・フレームの画像ヘッダ・データの少なくとも一部の反復を含んでいるかどうかをチェックするステップを含む、
ことを特徴とする方法。
【請求項２５】  請求項２２に記載の方法において、
前記後のビデオ・フレームの画像ヘッダ・データをチェックして、前記第１のビデオ・フレームの画像ヘッダ・データのいくつかのフィールドの反復を含んでいるかどうかをチェックするステップを含む、
ことを特徴とする方法。
【請求項２６】  ビデオ・フレームのシーケンスを表すソース符号化ビット・ストリームを復号化するためのビデオ・ソース復号化装置であって、前記ビデオ・ソース復号化装置が、
第１のビデオ・フレームを表す第１のソース符号化ビット・ストリームの一部を受信し、前記第１のソース符号化ビット・ストリームの一部は、前記第１のビデオ・フレームの画像ヘッダ・データおよび前記第１のビデオ・フレームのソース符号化画像データを含み、
前記第１のソース符号化ビット・ストリームの一部内に含まれている前記第１のビデオ・フレームの画像ヘッダ・データが破損または喪失しているかどうかを判定するために、前記第１のソース符号化ビット・ストリームの一部をチェックする、
ように構成されている回路を備え、
前記回路が、前記第１のビデオ・フレームの画像ヘッダ・データが破損または喪失していると判定した場合に、前記回路が、前記第２のソース符号化ビット・ストリームの一部が前記第１のビデオ・フレームの画像ヘッダ・データの少なくとも一部の反復を含んでいるかどうかを判定するために、前記第１のソース符号化ビット・ストリームの一部の後の前記ソース符号化ビット・ストリームにより供給した第２のソース符号化ビット・ストリームの一部をチェックするように構成され、
前記回路が、前記第２のソース符号化ビット・ストリームの一部が前記第１のビデオ・フレームの画像ヘッダ・データの少なくとも一部の反復を含んでいると判定した場合に、前記回路が、前記第２のソース符号化ビット・ストリームの一部から前記第１のビデオ・フレームの反復された画像ヘッダ・データを入手し、前記第２のソース符号化ビット・ストリームの一部から入手した前記反復された画像ヘッダ・データにより、前記第１のビデオ・フレームの前記ソース符号化画像データを復号化するように構成される、
ことを特徴とするビデオ・ソース復号化装置。
【請求項２７】  請求項２６に記載のビデオ・ソース復号化装置において、
前記回路が、前記第２のソース符号化ビット・ストリームの一部が全ビデオ・フレームまたはビデオ・フレームの不完全な一部を表しているかどうかを確認し、前記第２のソース符号化ビット・ストリームの一部がビデオ・フレームの不完全な一部を表している場合に、前記第２のソース符号化ビット・ストリームの一部が、前記第１のビデオ・フレームの画像ヘッダ・データの少なくとも一部の反復を含んでいると判定するように構成される、
ことを特徴とするビデオ・ソース復号化装置。
【請求項２８】  請求項２６に記載のビデオ・ソース復号化装置において、
前記回路が、前記第２のソース符号化ビット・ストリームの一部が画像ヘッダ・データおよび他のデータを含んでいるかどうかを確認し、前記他のデータは、前記第２のソース符号化ビット・ストリームの一部が前記ビデオ信号の基準ビデオ・フレームに対して変化していないビデオ・フレームを表していることを意味し、含んでいる場合には、前記第２のソース符号化ビット・ストリームの一部が前記第１のビデオ・フレームの画像ヘッダ・データの少なくとも一部の反復を含んでいると判定するように構成される、
ことを特徴とするビデオ・ソース復号化装置。
【請求項２９】  請求項２６に記載のビデオ・ソース復号化装置において、
前記第２のソース符号化ビット・ストリームの一部が、前記ビデオ・フレームのシーケンス内の前記第１のビデオ・フレームの後のビデオ・フレームを表していて、前記後のビデオ・フレームの画像ヘッダ・データおよび前記後のビデオ・フレームのソース符号化画像データを含み、前記回路が、前記後のビデオ・フレームの画像ヘッダ・データをチェックして、前記第１のビデオ・フレームの画像ヘッダ・データの反復を含んでいるかどうかをチェックするように構成される、
ことを特徴とするビデオ・ソース復号化装置。
【請求項３０】  請求項２９に記載のビデオ・ソース復号化装置において、
前記回路が、前記後のビデオ・フレームの補足エンハンスメント情報（ＳＥＩ）をチェックして、前記第１のビデオ・フレームの画像ヘッダ・データの少なくとも一部の反復を含んでいるかどうかをチェックするように構成される、
ことを特徴とするビデオ・ソース復号化装置。
【請求項３１】  請求項３０に記載のビデオ・ソース復号化装置において、
前記回路が、前記後のビデオ・フレームの補足エンハンスメント情報（ＳＥＩ）をチェックして、前記第１のビデオ・フレームの画像開始コードを除く、前記第１のビデオ・フレームの画像ヘッダ・データの少なくとも一部の反復を含んでいるかどうかをチェックするように構成される、
ことを特徴とするビデオ・ソース復号化装置。
【請求項３２】  請求項２９に記載のビデオ・ソース復号化装置において、
前記回路が、前記後のビデオ・フレームの画像ヘッダ・データをチェックして、前記第１のビデオ・フレームの画像ヘッダ・データのいくつかのフィールドの反復を含んでいるかどうかをチェックするように構成される、
ことを特徴とするビデオ・ソース復号化装置。
【請求項３３】  ビデオ・フレームのシーケンスを表すソース符号化ビット・ストリームを含むデータ信号であって、前記ソース符号化ビット・ストリームが、
前記ビデオ・フレームのシーケンスの第１のビデオ・フレームを表す第１のソース符号化ビット・ストリームの一部であって、前記第１のビデオ・フレームの画像ヘッダ・データおよび前記第１のビデオ・フレームのソース符号化画像データを含む第１のソース符号化ビット・ストリームの一部と、
第２のソース符号化ビット・ストリームの一部であって、第１のビデオ・フレームの前記画像ヘッダ・データの少なくとも一部の反復を含み、前記第１のソース符号化ビット・ストリームの一部の後の前記ソース符号化ビット・ストリームにより供給される第２のソース符号化ビット・ストリームの一部とを備える、
ことを特徴とするデータ信号。
【請求項３４】  請求項１０に記載のビデオ・ソース符号化装置を備えることを特徴とするネットワーク・デバイス。
【請求項３５】  請求項２６に記載のビデオ・ソース復号化装置を備えることを特徴とするネットワーク・デバイス。
【請求項３６】  請求項１０に記載のビデオ・ソース符号化装置を備えることを特徴とする端末デバイス。
【請求項３７】  請求項２６に記載のビデオ・ソース復号化装置を備えることを特徴とする端末デバイス。
【請求項３８】  請求項３４乃至３７のいずれかに記載のデバイスにおいて、
前記デバイスが、パケット交換網で動作するように構成される、
ことを特徴とするデバイス。
【請求項３９】  請求項３４乃至３７のいずれかに記載のデバイスにおいて、
前記デバイスが、回線交換網で動作するように構成される、
ことを特徴とするデバイス。
【請求項４０】  請求項３４乃至３７のいずれかに記載のデバイスにおいて、
前記デバイスが、移動通信網で動作するように構成される、
ことを特徴とするデバイス。
【請求項４１】  請求項３４乃至３７のいずれかに記載のデバイスにおいて、
前記デバイスが、インターネットで動作するように構成される、
ことを特徴とするデバイス。
【請求項４２】  請求項３４乃至３７のいずれかに記載のデバイスにおいて、
前記デバイスが、リアルタイム・ビデオを提供するように構成される、
ことを特徴とするデバイス。
【請求項４３】  請求項３４または３５に記載のネットワーク・デバイスを含むことを特徴とするネットワーク。